(57)【要約】【課題】光路、特に受光素子とその受光素子に対向するレンズとの間の光路に、異物が侵入することを防止できる光ピックアップ装置を提供する。【解決手段】光源１２からの光が、導光手段１４によって集光レンズ１３に導かれて、集光レンズ１３によって光記録媒体１１に集光される。光記録媒体１１から反射された光は、受光素子３０に対向するスポット調整レンズ２４から受光素子３０に導かれる。スポット調整レンズ２４と受光素子３０との間には、筒状の防塵体３５が設けられ、この防塵体３５がスポット調整レンズ２４および受光素子３０間にわたる光路２９を周方向全周から覆う。これによってスポット調整レンズ２４および受光素子３０間にわたる光路２９に、塵埃などの異物が侵入することを防止することができる。【選択図】　　　図１
2004139637.tif 000002
【特許請求の範囲】
【請求項１】
光記録媒体に情報を記録しまたは光記録媒体から情報を再生する光ピックアップ装置であって、
光を出射する光源と、
光記録媒体に光源からの光を集光する集光手段と、
受光素子を有し、光記録媒体から反射された光を受光素子で受光する受光手段と、
受光素子に対向する対向レンズを有し、光記録媒体から反射された光を対向レンズから受光素子に導く導光手段と、
対向レンズおよび受光素子間にわたって、光路を周方向全周から覆う筒状の防塵体を含むことを特徴とする光ピックアップ装置。
【請求項２】
防塵体は、弾性材料から成ることを特徴とする請求項１記載の光ピックアップ装置。
【請求項３】
防塵体は、その軸線方向一端部が周方向全周にわたって対向レンズに弾発的に当接し、軸線方向他端部が周方向全周にわたって受光素子に弾発的に当接していることを特徴とする請求項１または２記載の光ピックアップ装置。
【請求項４】
防塵体は、軸線方向両端部に向かうにつれて、拡開することを特徴とする請求項３記載の光ピックアップ装置。
【請求項５】
防塵体は、蛇腹状に形成されることを特徴とする請求項３記載の光ピックアップ装置。
【請求項６】
受光素子を、対向レンズの光軸に平行な基準軸線まわりに回転自在に、かつ前記基準軸線に垂直な方向に変位自在に保持し、対向レンズをその光軸に沿って変位自在に保持し、防塵体をその軸線方向両端部が軸線方向に変形自在に軸線方向中間部で保持するハウジングをさらに含むことを特徴とする請求項１〜５のいずれかに記載の光ピックアップ装置。
【請求項７】
防塵体は、少なくとも受光素子に当接する当接部の表面が曲面に形成されることを特徴とする請求項１〜６のいずれかに記載の光ピックアップ装置。
【請求項８】
防塵体は、少なくとも内周面が黒色であることを特徴とする請求項１〜７のいずれかに記載の光ピックアップ装置。
【発明の詳細な説明】
【０００１】
【発明の属する技術分野】
本発明は、光記録媒体に情報を記録しまたは光記録媒体から情報を再生する光ピックアップ装置に関する。
【０００２】
【従来の技術】
図９は、従来の技術の光ピックアップ装置１を示す斜視図である。図１０は、受光素子５およびスポット調整レンズ８が設けられるハウジング７の一部を示す斜視図である。図１１は、ハウジング７の一部を示す断面図である。図１２は、受光素子５を設ける前のハウジング７の一部を示す斜視図である。従来の技術の光ピックアップ装置１は、光源２、集光レンズ３、導光手段４および受光素子５を含んで構成される。光源２によって出射された光は、集光レンズ３によって光記録媒体（図示せず）に集光され、光記録媒体から反射される。光記録媒体から反射された光は、受光素子５に対向する導光手段４のスポット調整レンズ６によって収束光にされて、受光素子５に導かれる。スポット調整レンズ６および受光素子５は、ハウジング７にそれぞれ設けられる。スポット調整レンズ６および受光素子５間にわたる光路８は、ハウジング７によって外囲されることなく開放されている。従来の他の技術の光ピックアップ装置についても、導光手段がケーシングに収容されているけれども、集光レンズに光を導くための透孔が設けられるなどして、受光素子に対向するレンズと受光素子との間にわたる光路は、外囲されることなく開放されている（たとえば特許文献１〜３参照）。
【０００３】
【特許文献１】
特開平６−３０９８１３号公報
【特許文献２】
特開平７−３２０２９３号公報
【特許文献３】
特開平１１−１４９６５９号公報
【０００４】
【発明が解決しようとする課題】
従来の技術の各光ピックアップ装置では、受光素子に対向するレンズと受光素子との間にわたる光路は、光が収束される領域であるので、この光路に外部から塵埃などの異物が混入すると、光ピックアップ装置の性能が低下してしまう。
【０００５】
したがって本発明の目的は、光路、特に受光素子とその受光素子に対向するレンズとの間の光路に、異物が侵入することを防止することができる光ピックアップ装置を提供することである。
【０００６】
【課題を解決するための手段】
本発明は、光記録媒体に情報を記録しまたは光記録媒体から情報を再生する光ピックアップ装置であって、
光を出射する光源と、
光記録媒体に光源からの光を集光する集光手段と、
受光素子を有し、光記録媒体から反射された光を受光素子で受光する受光手段と、
受光素子に対向する対向レンズを有し、光記録媒体から反射された光を対向レンズから受光素子に導く導光手段と、
対向レンズおよび受光素子間にわたって、光路を周方向全周から覆う筒状の防塵体を含むことを特徴とする光ピックアップ装置である。
【０００７】
本発明に従えば、光源によって出射される光が、集光手段によって光記録媒体に集光される。光記録媒体から反射された光は、受光手段の受光素子で受光される。光記録媒体からの光は、導光手段によって、受光素子に対向する対向レンズから受光素子に導かれる。対向レンズおよび受光素子間にわたる光路には、筒状の防塵体が設けられる。この防塵体によって対向レンズおよび受光素子間にわたって、光路が周方向全周から覆われる。このように対向レンズおよび受光素子間にわたる光路が、防塵体によって覆われるので、塵埃などの異物が侵入することを防止することができる。これによって対向レンズからの光が、異物によって散乱して受光素子の不所望の受光位置に導かれることなどの不具合をなくすことができる。したがって光ピックアップ装置の性能を好適に保持することができる。
【０００８】
また本発明は、防塵体は、弾性材料から成ることを特徴とする。
本発明に従えば、防塵体が弾性材料から成るので、万一、防塵体に外力が与えられた場合であっても、外力を吸収することができるので、防塵体の配置位置が不所望にずれることを防止することができる。これによって対向レンズおよび受光素子間にわたる光路を覆う状態を一定に保持することができる。また防塵体をハウジングなどに設ける場合に、ハウジングにたとえば透孔および一対の突起片などの係止部を設けておけば、接着剤などの他の保持部材を用いることなく、防塵体を係止部に容易に設けてハウジングに保持させることができる。これによって作業性を向上することができるとともに、装置の部品点数が増加することを防止することができる。
【０００９】
また本発明は、防塵体は、その軸線方向一端部が周方向全周にわたって対向レンズに弾発的に当接し、軸線方向他端部が周方向全周にわたって受光素子に弾発的に当接していることを特徴とする。
【００１０】
本発明に従えば、対向レンズには、防塵体の軸線方向一端部が周方向全周にわたって弾発的に当接し、受光素子には、防塵体の軸線方向他端部が周方向全周にわたって弾発的に当接している。これによって対向レンズおよび受光素子を変位させてそれらの位置を調整した場合であっても、防塵体の対向レンズおよび受光素子との当接状態を一定に保持することができる。したがって対向レンズおよび受光素子間にわたる光路に、異物が侵入することを確実に防止することができる。
【００１１】
また本発明は、防塵体は、軸線方向両端部に向かうにつれて、拡開することを特徴とする。
【００１２】
本発明に従えば、防塵体が、軸線方向両端部に向かうにつれて拡開するので、軸線方向両端部が軸線方向に変形しないものに比べて、防塵体を軸線方向に変形させやすくすることができる。これによって防塵体に軸線方向の外力を与えた場合であっても、防塵体が軸線方向に容易に変形するので、防塵体が光路に悪影響を与えることを防止することができる。
【００１３】
また本発明は、防塵体は、蛇腹状に形成されることを特徴とする。
本発明に従えば、防塵体が蛇腹状に形成されるので、軸線方向両端部が軸線方向に変形しないものに比べて、防塵体を軸線方向に変形させやすくすることができる。これによって防塵体に軸線方向の外力を与えた場合であっても、防塵体が軸線方向に容易に変形するので、防塵体が光路に悪影響を与えることを防止することができる。
【００１４】
また本発明は、受光素子を、対向レンズの光軸に平行な基準軸線まわりに回転自在に、かつ前記基準軸線に垂直な方向に変位自在に保持し、対向レンズをその光軸に沿って変位自在に保持し、防塵体をその軸線方向両端部が軸線方向に変形自在に軸線方向中間部で保持するハウジングをさらに含むことを特徴とする。
【００１５】
本発明に従えば、受光素子が、ハウジングによって、対向レンズの光軸に平行な基準軸線まわりに回転自在に、かつ前記基準軸線に垂直な方向に変位自在に保持される。対向レンズが、ハウジングによって、その光軸に沿って変位自在に保持される。防塵体が、ハウジングによって、その軸線方向両端部が軸線方向に変形自在に軸線方向中間部で保持される。これによって受光素子および対向レンズが、ハウジングに対して前述のように変位した場合であっても、それらの変位に対して防塵体が影響を受け難くすることができる。換言すると受光素子および対向レンズが、ハウジングに対して前述のように変位した場合であっても、防塵体の軸線の配置状態を一定に保持することができる。これによって防塵体の軸線の配置状態が変化して光路に悪影響を与えることを防止することができる。したがって防塵効果を確実に保持することができる。
【００１６】
また本発明は、防塵体は、少なくとも受光素子に当接する当接部の表面が曲面に形成されることを特徴とする。
【００１７】
本発明に従えば、防塵体は、少なくとも受光素子に当接する当接部の表面が曲面に形成される。これによって受光素子に当接する当接部の表面が平面である場合に比べて、防塵体と受光素子との接触面積を小さくすることができる。したがって受光素子の変位の影響を小さくして、受け難くすることができる。たとえば受光素子を、対向レンズの光軸に垂直な一仮想平面に沿って変位させる場合には、受光素子を光軸に沿って変位させる場合に比べて、防塵体が受光素子の変位によって光路に影響を与えやすい。前述のように防塵体の受光素子に当接する当接部の表面を曲面に形成することによって、受光素子の変位によって光路に与える影響を確実に小さくすることができる。また防塵体が、受光素子を傷つけることを防止することができる。
【００１８】
また本発明は、防塵体は、少なくとも内周面が黒色であることを特徴とする。本発明に従えば、防塵体は、少なくとも内周面が黒色であるので、防塵体の内周面で乱反射することを防止することができる。これによって乱反射することによって生じた迷光が、受光素子で受光されることを確実に防止することができる。
【００１９】
【発明の実施の形態】
図１は、本発明の第１の実施の形態である光ピックアップ装置１０の構成を簡略化して示す斜視図である。図１において、理解を容易にするために、光路を簡略化して示す。光ピックアップ装置１０は、光記録媒体１１に情報を記録し、または光記録媒体１１から情報を再生する装置である。光記録媒体１１は、たとえばコンパクトディスク（Ｃｏｍｐａｃｔ　Ｄｉｓｃ；略称ＣＤ）およびデジタルバーサタイルディスク（Ｄｉｇｉｔａｌ　Ｖｅｒｓａｔｉｌｅ　Ｄｉｓｃ；略称ＤＶＤ）などの光ディスクである。光ピックアップ装置１０は、光源１２、集光レンズ１３、導光手段１４および受光手段１５を含んで構成される。
【００２０】
光源１２は、光を出射する手段であって、たとえば半導体レーザによって実現される。集光手段である集光レンズ１３は、光記録媒体１１の情報記録面１６に光源１２からの光を集光する。この集光レンズ１３は、レンズホルダ１７によって保持される。レンズホルダ１７は、図示しない保持体によってフォーカシング方向Ｆおよびトラッキング方向Ｔに変位自在に保持される。フォーカシング方向Ｆは、光記録媒体１１の情報記録面１６に対して近接および離反する方向である。トラッキング方向Ｔは、光記録媒体１１の情報記録面１６における記録領域を走査する方向である。レンズホルダ１７は、たとえばコイルと永久磁石片とによって実現される駆動手段（図示せず）による磁気的作用によって、フォーカシング方向Ｆおよびトラッキング方向Ｔに変位駆動される。これによって集光レンズ１３が、フォーカシング方向Ｆおよびトラッキング方向Ｔに変位されて、集光レンズ１３からの光が、情報記録面１６で微小なスポットに結像される。
【００２１】
導光手段１４は、光源１２によって出射される光を光記録媒体１１に導くとともに、光記録媒体１１から反射される光を後述の受光手段１５に導く。導光手段１４は、グレーティングレンズ２０、ビームスプリッタ２１、コリメートレンズ２２、立上げミラー２３およびスポット調整レンズ２４を含んで構成される。グレーティングレンズ２０は、回折格子を有し、入射される光を複数本の光に分ける。ビームスプリッタ２１は、任意の方位の直線偏光の光が入射したとき、その直線偏光をＰ方位成分とＳ方位線分と分離して、Ｐ方位成分は透過させるとともに、Ｓ方位成分を９０度反射させる。ビームスプリッタ１２は、たとえば平板状または直方体状に形成される。図１の例では、ビームスプリッタ１２は、平板状である。コリメートレンズ２２は、入射される光を平行光にする。立上げミラー２３は、導かれる光を反射して、光の進行方向を変化させる。対向レンズであるスポット調整レンズ２４は、光を集光するためのレンズであって、後述の受光素子３０に対向する。スポット調整レンズ２４は、たとえば筒体２４ａと集光するためのレンズ２４ｂとを有し、筒体２４ａとレンズ２４ｂとが一体的にレンズ２４ｂの光軸Ｌ２４に沿って変位する構成になっている。
【００２２】
光源１２、グレーティングレンズ２０およびビームスプリッタ２１は、この順に、グレーティングレンズ２０において複数の格子が並ぶ一仮想平面に垂直な一方向に間隔をあけて配置される。図１の例では、前記一仮想平面に垂直な一方向は、トラッキング方向Ｔに平行である。スポット調整レンズ２４、ビームスプリッタ２１、コリメートレンズ２２および立上げミラー２３は、この順に、フォーカシング方向Ｆおよび前記一方向に、間隔をあけて配置される。コリメートレンズ２２は、ビームスプリッタ２１に関してグレーティングレンズ２０と同じ側に配置される。集光レンズ１３および立上げミラー２３は、フォーカシング方向Ｆに間隔をあけて配置される。さらに集光レンズ１３は、光記録媒体１１と立上げミラー２３との間に配置される。
【００２３】
光源１２によって光が、図１の矢符２８ｄａに示すように出射されると、光源１２からの光は、グレーティングレンズ２０に入射される。グレーティングレンズ２０に入射された光は、通過後に複数本の光に分けられて、図１の矢符２８ｄｂに示すように導かれて、ビームスプリッタ２１に入射される。ビームスプリッタ２１は、グレーティングレンズ２０からの光を、９０度だけ反射する。ビームスプリッタ２１によって反射された光は、図１の矢符２８ｄｃに示すように導かれて、コリメートレンズ２２に入射される。コリメートレンズ２２に入射された光は、コリメートレンズ２２によって平行光にされて、図１の矢符２８ｄｄに示すように立上げミラー２３に導かれる。コリメートレンズ２２からの光は、フォーカシング方向Ｆに平行になるように立上げミラー２３によって反射される。立上げミラーによって反射された光は、図１の矢符２７ａに示すように導かれて、集光レンズ１３に入射される。集光レンズ１３に入射された光は、図１の矢符２７ｂに示すように導かれて、情報記録面１６に集光される。光記録媒体１１から反射された光は、図１の矢符２７ｃに示すように導かれて、集光レンズ１３に入射される。光記録媒体１１から集光レンズ１３に入射された光は、図１の矢符２７ｄに示すように導かれて、立上げミラーに導かれる。集光レンズ１３からの光は、立上げミラー２３によって反射されて、図１の矢符２８ａに示すように導かれて、コリメートレンズ２２に入射される。立上げミラー２３からコリメートレンズ２２に入射された光は、図１の矢符２８ｂに示すように導かれて、ビームスプリッタ２１に入射される。ビームスプリッタ２１に入射された光は、ビームスプリッタ２１を透過して、図１の矢符２８ｃに示すように導かれて、スポット調整レンズ２４に入射される。スポット調整レンズ２４に入射された光は、スポット調整レンズ２４によって収束光にされて、図１の矢符２８ｄに示すように導かれて、後述の受光手段１５によって受光される。
【００２４】
受光手段１５は、受光素子３０を有し、光記録媒体１１から反射された光を受光素子３０で受光する。受光手段１５は、平板状の基部３１を有し、この基部３１に受光素子３０が設けられる。受光素子３０は、たとえばフォトダイオードによって実現される。受光素子３０は、導光手段１４のスポット調整レンズ２４から導かれた光を受光部分３０ａ（図４参照）で受光する。受光素子３０は、受光した光の光量に基づいて、電気信号に変換する。電気信号は、情報記録面１６に関する情報信号と、フォーカシング方向Ｆおよびトラッキング方向Ｔへの変位を制御するためのサーボ信号とを含む。これらの情報信号およびサーボ信号に基づいて、光が情報記録面１６の所望の位置に集光されるように、図示しない制御手段によって駆動手段などが制御される。このようにして光ピックアップ装置１０は、光記録媒体１１に情報を記録し、または光記録媒体１１から情報を再生する。
【００２５】
図２は、防塵体３５およびハウジング４０の一部を切欠いて示す分解斜視図である。図３は、受光手段１５、スポット調整レンズ２４および防塵体３５が設けられる状態におけるハウジング４０の一部を示す斜視図である。図４は、受光手段１５、スポット調整レンズ２４および防塵体３５が設けられる状態におけるハウジング４０の一部を示す断面図である。図２〜図４において、理解を容易にするために、光路を簡略化して示す。前述のスポット調整レンズ２４と受光素子３０との間には、筒状の防塵体３５が配置される。防塵体３５は、スポット調整レンズ２４および受光素子３０間にわたる光路２９を、周方向全周から覆うための部材である（「スポット調整レンズ２４および受光素子３０間にわたる光路２９」を、単に「光路２９」と表記する場合がある）。防塵体３５は、弾性材料から成る。弾性材料として、エラストマと呼ばれるゴム弾性体、およびシリコンゴムなどがある。防塵体３５は、軸線方向両端部３６に向かうにつれて、拡開するように形成される。具体的には防塵体３５は、その外形が大略的に直円筒状であり、その内周面３７が軸線方向両端部３６に向かうにつれて拡開するように形成される。防塵体３５は、少なくとも内周面３７が黒色である。本実施の形態では、防塵体３５全体が黒色である。
【００２６】
光ピックアップ装置１０は、ハウジング４０をさらに含んで構成される。ハウジング４０は、光源１２、導光手段１４、受光素子３０および防塵体３５を保持する。図３および図４の例では、スポット調整手段１４、受光素子３０および防塵体３５が、ハウジング４０によって保持される状態を示している。スポット調整手段１４および受光素子３０は、相互に対向する位置に配置されてハウジング４０に設けられる。ハウジング４０には、その強度を向上するために、スポット調整レンズ２４と受光素子３０との間に、厚み方向がスポット調整レンズ２４の光軸Ｌ２４に平行な板状の隔壁４１が設けられる。
【００２７】
隔壁４１の長手方向一方側端部４２には、厚み方向一方側に延在する第１側部４３が設けられる。隔壁４１の長手方向他方側端部４４には、厚み方向一方側に延在する第２側部４５が設けられる。第１側部４３は、第２側部４５に対向し、かつ隔壁４１の長手方向に垂直な平面が形成される第１表面４６を有する。第２側部４５は、第１側部４３に対向し、かつ隔壁の長手方向に垂直な平面が形成される第２表面４７を有する。第１表面４６と第２表面４７との間の間隔は、スポット調整レンズ２４の外径とほぼ同一である。スポット調整レンズ２４は、第１側部４６と第２側部４７とに挟まれる領域に配置される。スポット調整レンズ２４は、その外周面４８の一部の領域が第１側部４３の第１表面４６に当接し、その外周面４８の他の一部の領域が第２側部４５の第２表面４７に当接する。スポット調整レンズ２４は、第１レンズ調整方向Ａ１および第２レンズ調整方向Ａ２に変位自在にハウジング４０に保持される。第１レンズ調整方向Ａ１は、スポット調整レンズ２４の光軸Ｌ２４に沿う方向であって、スポット調整レンズ２４が受光素子３０に近接する方向である。第２レンズ調整方向Ａ２は、スポット調整レンズ２４の光軸Ｌ２４に沿う方向であって、スポット調整レンズ２４が受光素子３０から離反する方向である。スポット調整レンズ２４は、光を微小なスポットにして受光素子３０に結像することができるように、たとえばスポット調整レンズ２４を変位させるための手段によって、第１レンズ調整方向Ａ１および第２レンズ調整方向Ａ２に変位される。本実施の形態では、隔壁４１の厚み方向は、ハウジング４０に保持されるスポット調整レンズ２４の光軸Ｌ２４に平行である。
【００２８】
第１側部４３は、隔壁４１の厚み方向他方側に向かって突出する第１突出部４９を有する。第２側部４５は、隔壁４１の厚み方向他方側に向かって突出する第２突出部５０を有する。第１突出部４９および第２突出部５０は、受光素子３０をハウジング４０に設けるにあたって、受光素子３０によって防塵体３５をその軸線方向に押圧して変形できる程度に突出する。第１突出部４９は、隔壁４１の厚み方向に垂直な平面が形成される一表面４９ａを有し、第２突出部５０は、隔壁４１の厚み方向に垂直な平面が形成される一表面５０ａを有する。第１突出部４９の一表面４９ａと第２突出部５０の一表面５０ａとは、隔壁４１の厚み方向に垂直な一仮想平面に含まれる。
【００２９】
受光素子３０は、第１突出部４９の一表面４９ａと第２突出部５０の一表面５０ａとに受光手段１５の基部３１が当接されて設けられる。受光素子３０は、第１突出部４９の一表面４９ａと第２突出部の一表面４９ａとを含む前記一仮想平面に沿って変位自在に、ハウジング４０に保持される。具体的には受光素子３０は、ハウジング４０によって、基準軸線Ｌ１５に回転自在に、かつ基準軸線Ｌ１５に垂直な方向である第１調整方向Ｂ１および第２調整方向Ｂ２に変位自在に保持される。第１調整方向Ｂ１と第２調整方向Ｂ２とは、相互に垂直である。基準軸線Ｌ１５は、スポット調整レンズ２４の光軸Ｌ２４に、具体的にはハウジング４０に保持される状態のスポット調整レンズ２４の光軸Ｌ２４に平行な軸線である。第１調整方向Ｂ１は、たとえばフォーカシング方向Ｆに平行な方向であって、第２調整方向Ｂ２は、たとえばトラッキング方向Ｔに平行な方向である。このように受光素子３０は、その受光部分３０ａがスポット調整レンズ２４からの光を受光できる範囲内で変位されて、スポット調整レンズ２４からの光を受光する。受光素子３０は、たとえば受光素子３０を変位させるための手段によって変位される。
【００３０】
隔壁４１には、その厚み方向に貫通する透孔５１が設けられる。隔壁４１の透孔５１に臨む内周面５２は、防塵体３５の外径に比べて小さく、かつ防塵体３５が透孔５１に挿通された状態で、スポット調整レンズ２４からの光を受光素子３０に導くことができる程度の直径を有する。防塵体３５は、透孔５１に挿通されて隔壁４１に設けられる。防塵体３５の軸線方向中間部３８には、一部の領域が周方向全周にわたって半径方向内方に没入する凹部３９が設けられる。凹部３９は、防塵体３５の軸線方向中間部３８のうち他端部５８寄りに設けられる。防塵体３５の他端部５８は、防塵体３５の軸線方向両端部３６のうち、軸線方向他方側の端部である。防塵体３５を隔壁４１に設けるにあたって、軸線方向中間部３８の凹部３９に、隔壁４１の内周面５２を有する内周部５３が嵌り込む。防塵体３５が隔壁４１に設けられる状態で、防塵体３５は、その軸線方向が隔壁４１の厚み方向に平行に配置される。防塵体３５を透孔５１に挿通するにあたって、防塵体３５は、弾性材料から成るので、その外径が透孔５１の直径に比べて大きい場合であっても、防塵体３５を変形させて透孔５１に容易に挿通することができる。
【００３１】
さらに防塵体３５をハウジングに設けた後では、隔壁４１の内周部５３が、防塵体３５の軸線方向中間部３８の凹部３９に嵌り込むとともに、防塵体３５に関して他端部３８よりに配置される。防塵体３５が隔壁４１に設けられる状態で、防塵体３５の軸線方向中間部３８は、隔壁４１の内周部５３に弾発的に当接する。防塵体３５を隔壁４１に設けることによって、スポット調整レンズ２４を第１レンズ調整方向Ａ１に変位させた場合であっても、隔壁４１から離脱することを阻止して、防塵体３５の一端部５５だけを変形させるようにする。このようにして防塵体３５は、ハウジング４０によって、その軸線方向両端部３６が軸線方向に変形自在に軸線方向中間部３８で保持される。防塵体３５をハウジング４０に設けるにあたって、接着剤などの他の保持部材を別途に用いる必要がないので、装置の部品点数が増加することを防止することができる。
【００３２】
スポット調整レンズ２４は、防塵体３５の一端部５５に対向してハウジング４０に設けられる。スポット調整レンズ２４と防塵体３５とがハウジング４０に設けられる状態で、防塵体３５の軸線Ｌ３５は、スポット調整レンズ２４の光軸Ｌ２４と同軸である。防塵体３５の一端部５５は、防塵体３５の軸線方向両端部３６のうち、軸線方向一方側の端部である。スポット調整レンズ２４は、防塵体３５の一端部５５を第１レンズ調整方向Ａ１に押圧して変形させた状態で、ハウジング４０に保持される。防塵体３５の一端部５５では、スポット調整レンズ２４に弾発的に当接するレンズ当接部５６が周方向全周にわたってスポット調整レンズ２４に弾発的に当接する。具体的にはレンズ当接部５６は、周方向全周にわたってスポット調整レンズ２４における筒体２４ａの防塵体３５に対向する軸線方向一端部５７に、弾発的に当接する。レンズ当接部５６は、その内径がスポット調整レンズ２４における筒体２４ａの軸線方向一端部５７における内径に比べて大きい。
【００３３】
スポット調整レンズ２４を第１レンズ調整方向Ａ１に変位させると、防塵体３５のレンズ当接部３６が押圧されて軸線方向に変形する。スポット調整レンズ２４を第２レンズ調整方向Ａ２に変位させると、防塵体３５のレンズ当接部３６は、外力が与えられない自然状態に戻るように軸線方向に変形する。防塵体３５は、弾性材料から成るので、レンズ当接部３６は、スポット調整レンズ２４の変位に伴って変形する。さらに防塵体３５は、その内周面３７が軸線方向両端部３６に向かうにつれて拡開するので、軸線方向に変形しないもの、たとえば直円筒状のものに比べて、防塵体３５の一端部５５を軸線方向に変形させやすい。このように防塵体３５の一端部５５が、スポット調整レンズ２４の変位に伴って変形するので、防塵体３５とスポット調整レンズ２４との当接状態が一定に保持される。
【００３４】
受光素子３０は、防塵体３５の他端部５８に対向するように配置される。受光素子３０は、防塵体３５の他端部５８を軸線方向に押圧して変形させた状態で、ハウジング４０に保持される。受光素子３０を防塵体３５に押圧させるにあたって、防塵体３５は、軸線方向両端部３６に向かうにつれて拡開するので、たとえば直円筒状のものに比べて、防塵体３５の他端部５８を軸線方向に変形させやすい。さらに防塵体３５の他端部５８は、他端部５８に向かうにつれて拡開するので、受光素子を防塵体３５の他端部５８を押圧して変形させた場合であっても、他端部５８における内周面が変形して光路２９を遮ることが防がれる。防塵体３５の他端部５８では、受光素子３０に弾発的に当接する素子当接部５９が周方向全周にわたって受光素子３０に弾発的に当接する。
【００３５】
受光素子３０を基準軸線Ｌ１５まわりに回転させる場合、または第１調整方向Ｂ１および第２調整方向Ｂ２に変位させる場合、防塵体３５は、たとえば直円筒状のものに比べて、受光素子３０との接触面積が小さくなる。これによって直円筒状のものに比べて、防塵体３５の他端部５８が、基準軸線Ｌ１５まわりに回転しにくくなるとともに、第１および第２調整方向Ｂ１，Ｂ２に変形しにくくなる。したがって防塵体３５と受光素子３０との当接状態を一定に保持して、光路２９に、塵埃などの異物を侵入させるなどして悪影響を及ぼすことが防がれる。このようにスポット調整レンズ２４からの光は、防塵体３５によって外囲される領域内を通過して、受光素子３０で確実に受光される。
【００３６】
光ピックアップ装置１０の性能を確保するにあたって、初期的にまたは装置を用いる環境に応じて、光路に塵埃などの異物をいかに侵入させないかが大きな課題である。初期的には、光ピックアップ装置１０の生産環境の改善によって、品質を確保することができるけれども、装置を用いる環境の状態によっては、光路に異物が侵入することがある。これによって光記録媒体１１に対して情報の記録および情報の再生を好適に実行することができないなどの不具合が生じて、光ピックアップ装置１０の性能が急激に低下する場合がある。特に、スポット調整レンズ２４および受光素子３０間にわたる光路２９は、光が収束されている領域であるので、塵埃などの異物によって光路２９が遮られるなどして影響を受けやすい。前述のように防塵体３５を用いて、光路２９を覆うことによって、光路２９が外部から確実に遮断されるので、どのような環境下であっても、密閉性を確保することができる。
【００３７】
本実施の形態によれば、光源１２によって出射される光が、集光レンズ１３によって光記録媒体１１に集光される。光記録媒体１１から反射された光は、受光手段１５の受光素子３０で受光される。光記録媒体１１からの光は、導光手段１４によって、受光素子３０に対向するスポット調整レンズ２４から受光素子３０に導かれる。スポット調整レンズ２４および受光素子３０間にわたる光路２９には、筒状の防塵体３５が設けられる。この防塵体３５によってスポット調整レンズ２４および受光素子３０間にわたって、光路２９が周方向全周から覆われる。このように光路２９が防塵体３５によって覆われるので、塵埃などの異物が侵入することを防止することができる。これによってスポット調整レンズ２４からの光が、異物によって散乱して受光素子３０の不所望の受光位置に導かれることなどの不具合をなくすことができる。したがって光ピックアップ装置１０の性能を好適に保持することができる。
【００３８】
さらに本実施の形態によれば、防塵体３５が弾性材料から成るので、万一、防塵体３５に外力が与えられた場合であっても、外力を吸収することができるので、防塵体３５の配置位置が不所望にずれることを防止することができる。これによって光路２９を覆う状態を、一定に保持することができる。さらに防塵体３５をハウジング４０などに設ける場合に、ハウジング４０にたとえば透孔５１および一対の突起片などの係止部を設けておけば、接着剤などの他の保持部材を用いることなく、防塵体３５を係止部に容易に設けてハウジング４０に保持させることができる。これによって作業性を向上することができるとともに、装置の部品点数が増加することを防止することができる。
【００３９】
さらに本実施の形態によれば、スポット調整レンズ２４には、防塵体３５の一端部５５が周方向全周にわたって弾発的に当接し、受光素子３０には、防塵体３５の他端部５８が周方向全周にわたって弾発的に当接している。これによってスポット調整レンズ２４および受光素子３０を変位させて位置を調整した場合であっても、防塵体３５のスポット調整レンズ２４および受光素子３０との当接状態を一定に保持することができる。したがってスポット調整レンズ２４および受光素子３０間にわたる光路２９に、異物が侵入することを確実に防止することができる。
【００４０】
さらに本実施の形態によれば、防塵体３５が、軸線方向両端部３６に向かうにつれて拡開するので、軸線方向両端部３６が軸線方向に変形しないものに比べて、防塵体３５を軸線方向に変形させやすくすることができる。これによってたとえばスポット調整レンズ２４および受光素子３０を軸線方向に変位させた場合であっても、防塵体３５の軸線方向両端部３６が軸線方向に変形するので、防塵体３５が光路を遮るなどの不具合が生じることを防止することができる。
【００４１】
さらに本実施の形態によれば、受光素子３０が、ハウジング４０によって、スポット調整レンズ２４の光軸Ｌ２４に平行な基準軸線Ｌ１５まわりに回転自在に、かつ前記基準軸線Ｌ１５に垂直な第１調整方向Ｂ１および第２調整方向Ｂ２に変位自在に保持される。スポット調整レンズ２４が、ハウジング４０によって、その光軸Ｌ２４に沿って変位自在に保持される。防塵体３５が、ハウジング４０によって、その軸線方向両端部３６が軸線方向に変形自在に軸線方向中間部３８で保持される。これによって受光素子３０およびスポット調整レンズ２４が、ハウジング４０に対して前述のように変位した場合であっても、それらの変位に対して防塵体３５が影響を受け難くすることができる。換言すると受光素子３０およびスポット調整レンズ２４が、ハウジング４０に対して前述のように変位した場合であっても、防塵体３５の軸線の配置状態を一定に保持することができる。これによって防塵体３５の軸線の配置状態が変化して光路に悪影響を与えることを防止することができる。したがって防塵効果を確実に保持することができる。
【００４２】
さらに本実施の形態によれば、防塵体３５は、少なくとも内周面３７が黒色であるので、光が防塵体３５の内周面３７で乱反射することを防止することができる。これによって乱反射して生じた迷光が、受光素子３０で受光されることを確実に防止することができる。
【００４３】
図５は、本発明の第２の実施の形態における光ピックアップ装置１０ａが備えるハウジング４０の一部を示す断面図である。本実施の形態の光ピックアップ装置１０ａは、図１〜図４に示す前述の第１の実施の形態の光ピックアップ装置１と類似しており、異なる点についてだけ説明する。本実施の形態の光ピックアップ装置１０ａにおいて、第１の実施の形態の光ピックアップ装置１と同様の構成には同一の参照符号を付す。本実施の形態の光ピックアップ装置１０ａでは、第１の実施の形態の光ピックアップ装置１０ａの防塵体３５に代えて、内周面３７および外周面６０が、軸線方向両端部３６ａに向かうにつれて拡開する防塵体３５ａが設けられる。図５の例では、防塵体３５ａの軸線方向両端部３６ａは、内周面３７および外周面６０が軸線方向両端部３６ａに向かうにつれて拡開する円錐筒状に形成される。
【００４４】
防塵体３５ａの一端部５５ａは、そのレンズ当接部５６ａでスポット調整レンズ２４に弾発的に当接する。スポット調整レンズ２４が第１レンズ調整方向Ａ１に変位されると、防塵体３５ａの一端部５５ａは、さらに拡開するように軸線方向に変形し、スポット調整レンズ２４が第２レンズ調整方向Ａ２に変位されると、防塵体３５ａの一端部５５ａは、外力が与えられない自然状態に戻るように軸線方向に変形する。このように防塵体３５ａの一端部５５ａを、その内周面３７および外周面６０が前記一端部５５ａに向かうにつれて拡開する円錐筒状に形成することによって、たとえば直円筒状のものに比べて、軸線方向一端部５５ａを軸線方向にさらに変形させやすくすることができる。
【００４５】
防塵体の他端部５９ａは、その素子当接部５９ａで受光素子３０に弾発的に当接する。防塵体３５ａの他端部５９ａは、その内周面３７および外周面６０が前記他端部５９ａに向かうにつれて拡開するので、たとえば直円筒状のものに比べて、前記他端部５９ａを軸線方向にさらに変形させやすくすることができる。たとえば受光素子３０を防塵体３５ａに押圧した状態でハウジング４０に設ける場合であっても、防塵体３５ａの他端部５９ａがさらに拡開するように変形して、受光素子３０に弾発的に当接させることができる。
【００４６】
さらに防塵体３５ａの軸線方向中間部３８ａは、直円筒状に形成される筒部の外周部に、周方向全周にわたって半径方向外方に向けて突出する環状の突出片６１が設けられる。突起片６１は、防塵体３５ａの軸線方向中間部３８ａのうち一端部５５ａ寄りに設けられる。防塵体３５ａが隔壁４１に設けられる状態で、突起片６１は、隔壁４１の防塵体３５ａに臨む一表面４１ａに周方向全周にわたって弾発的に当接している。突起片６１は、スポット調整レンズ２４および受光素子３０の変位によって、防塵体３５ａがハウジング４０に対して軸線がずれること、および軸線方向中間部３８ａにおける内周面が変形することを防止する。
【００４７】
さらに防塵体３５ａの突起片６１と一端部５５ａとの間は、前述の第１の実施の形態における防塵体３５に比べて半径方向内方に没入した形状になっている。換言すると防塵体３５ａのスポット調整レンズ２４と隔壁４１とに挟まれる部分が、第１の実施の形態における防塵体３５に比べて少なく形成されている。これによって防塵体３５ａの一端部５５ａだけを軸線方向にさらに変形しやすくした状態で、防塵体３５ａは、その位置がずれることなく突起片６１によって隔壁４１に保持される。また突出片６１によって、スポット調整レンズ２４を第１レンズ調整方向Ａ１に変位させたときに、防塵体３５ａが受光素子３０に向かって変位して、隔壁４１の内周部５３から離脱することを防止することができる。
【００４８】
本実施の形態によれば、防塵体３５ａが、軸線方向両端部３６ａに向かうにつれて拡開するので、軸線方向両端部３６ａが軸線方向に変形しないものに比べて、防塵体３５ａを軸線方向に変形させやすくすることができる。このように防塵体３５ａに突起片６１を設けることによって、防塵体３５ａに軸線方向の外力が与えられる場合であっても、防塵体３５ａを軸線方向に変形しやすくすることができる。これによって防塵体３５ａの内周面３７が変形して光路２９を遮るなどして、防塵体３５ａが光路２９に悪影響を与えることを防止することができる。
【００４９】
図６は、本発明の第３の実施の形態における光ピックアップ装置１０ｂが備えるハウジング４０の一部を示す断面図である。本実施の形態の光ピックアップ装置１０ｂは、前述の第１の実施の形態の光ピックアップ装置１と類似しており、異なる点についてだけ説明する。本実施の形態の光ピックアップ装置１０ｂにおいて、第１の実施の形態の光ピックアップ装置１と同様の構成には同一の参照符号を付す。本実施の形態の光ピックアップ装置１では、第１の実施の形態の光ピックアップ装置１の防塵体３５に代えて、蛇腹状に形成される防塵体３５ｂが設けられる。図６の例では、防塵体３５ｂは、その一端部５５ｂおよび他端部５８ａが蛇腹状にそれぞれ形成される。防塵体３５ｂの一端部５５ｂのレンズ当接部５６ｂを有する部分は、前記一端部５５ｂに向かうにつれて、内周面３７および外周面６０が前記一端部５５ｂにおいて拡開する部分に比べてさらに拡開している。これによってスポット調整レンズ２４を第１レンズ調整方向Ａ１および第２レンズ調整方向Ａ２に変位させた場合に、レンズ当接部５６ｂが、スポット調整レンズ２４の筒体２４ａに外囲される内方空間に入り込んで、スポット調整レンズ２４との当接状態が誤って解除されることが防がれる。したがってレンズ当接部５６ｂとスポット調整レンズ２４との当接状態が確実に保持される。
【００５０】
防塵体３５ｂの軸線方向中間部３８ｂは、直円筒状に形成される筒部の外周部に、軸線方向に間隔をあけて配置され、半径方向外方に向けて突出する環状の２つの突起片６１ａ，６１ｂが設けられる。防塵体３５ｂが隔壁４１に設けられる状態で、２つの突起片６１ａ，６１ｂのうち一方の突起片６１ａは、防塵体３５ｂの一端部５５ｂ寄りに設けられて、隔壁４１のスポット調整レンズ２４の一表面４１ａに弾発的に当接される。他方の突起片６１ｂは、防塵体３５ｂの他端部５８ｂ寄りに設けられて、隔壁４１の受光素子３０に対向する他表面４１ｂに弾発的に当接する。隔壁４１は、２つの突起片６１ａ，６１ｂによって厚み方向両側から挟持される。２つの突起片６１ａ，６１ｂは、スポット調整レンズ２４および受光素子３０の変位によって、防塵体３５ａがハウジング４０に対して軸線がずれること、および軸線方向中間部３８ｂにおける内周面が変形することを防止する。
【００５１】
さらに防塵体３５ｂのスポット調整レンズ２４と隔壁４１とに挟まれる部分は、第１の実施の形態における防塵体３５に比べて少なく形成されている。これによってスポット調整レンズ２４を変位させた場合に、防塵体３５ｂの一端部５５ｂだけを軸線方向にさらに変形しやすくした状態で、防塵体３５ｂは、その位置がずれることなく２つの突起片６１ａ，６１ｂによって隔壁４１に保持される。また２つの突出片６１ａ，６１ｂによって、防塵体３５ｂに軸線方向の外力が与えられた場合であっても、隔壁４１の内周部５３から離脱することを確実に防止することができる。
【００５２】
本実施の形態によれば、防塵体３５ｂが蛇腹状に形成されるので、軸線方向両端部３６ｂが軸線方向に変形しないものに比べて、防塵体３５ｂを軸線方向にさらに変形させやすくすることができる。これによって防塵体３５ｂに軸線方向の外力を与えた場合であっても、防塵体３５ｂが軸線方向に変形するので、防塵体が光路に悪影響を与えることを防止することができる。
【００５３】
図７は、本発明の第４の実施の形態における光ピックアップ装置１０ｃが備えるハウジング４０の一部を示す断面図である。図８は、図７のセクションＳを拡大して示す断面図である。本実施の形態の光ピックアップ装置１０ｃは、図５に示す第２の実施の形態の光ピックアップ装置１０ａと類似しており、異なる点についてだけ説明する。本実施の形態の光ピックアップ装置１０ｃにおいて、第２の実施の形態の光ピックアップ装置１０ａと同様の構成には同一の参照符号を付す。本実施の形態の光ピックアップ装置１０ｃでは、防塵体３５ｃは、少なくとも受光素子３０に弾発的に当接する素子当接部５９ｃの表面が曲面に形成される。本実施の形態では、防塵体３５ｃのレンズ当接部５６ａの表面は、曲面に形成されず、防塵体３５ｃの素子当接部５９ｃの表面が曲面に形成される。素子当接部５９ｃの表面が平面である場合に比べて、防塵体３５ｃと受光素子３０との接触面積が小さくなり、受光素子３０の変位によって生じる摩擦力は小さくなる。これによって受光素子３０を基準軸線Ｌ１５まわりに回転させた場合、および第１調整方向Ｂ１および第２調整方向Ｂ２に変位させた場合であっても、受光素子３０の変位による影響を小さくすることができる。したがって防塵体３５ｃの他端部５８ｃが、基準軸線Ｌ１５まわりに回転しにくくすることができるとともに、第１調整方向Ｂ１および第２調整方向Ｂ２に変形しにくくすることができる。
【００５４】
本実施の形態によれば、防塵体３５ｃは、少なくとも受光素子３０に当接する素子当接部５９ｃの表面が曲面に形成される。これによって素子当接部５９ｃの表面が平面である場合に比べて、防塵体３５ｃと受光素子３０との接触面積を小さくすることができる。したがって受光素子３０の変位の影響を、小さくして受け難くすることができる。たとえば受光素子３０を、スポット調整レンズ２４の光軸Ｌ２４に垂直な一仮想平面に沿って変位させる場合には、受光素子３０を光軸Ｌ２４に平行な方向に変位させる場合に比べて、防塵体３５ｃが受光素子３０の変位によって光路に影響を与えやすい。前述のように防塵体３５ｃの素子当接部５９ｃの表面を曲面にすることによって、受光素子３０の変位によって光路に与える影響を確実に小さくすることができる。また防塵体３５ｃが、受光素子３０を傷つけることを防止することができる。
【００５５】
本実施の形態では、防塵体３５の素子当接部５９ｃの表面だけが曲面に形成される構成であったけれども、これに加えて、スポット調整レンズ２４に当接する当接部５６ａの表面が曲面に形成される構成であってもよい。
【００５６】
前述の各実施の形態は、本発明の例示に過ぎず、本発明の範囲内において構成を変更することができる。たとえば防塵体を、光学系の他の部品間、たとえば光源１２およびグレーティングレンズ２０間にわたる光路、およびビームスプリッタ２１およびスポット調整レンズ２４間にわたる光路などに配置してもよい。第１および第３の実施の形態における防塵体のレンズ当接部および素子当接部の表面を、曲面に形成してもよい。また防塵体は、内周面だけを黒色にして、内周面を除く残余の部分を黒色以外の色を有するように形成してもよい。また光ピックアップ装置は、光記記録媒体に情報を記録する機能および光記録媒体から情報を再生する機能に加えて、光記録媒体から情報を消去する機能を有する構成であってもよい。
【００５７】
【発明の効果】
本発明によれば、対向レンズおよび受光素子間にわたる光路が、筒状の防塵体によって周方向全周から覆われる。これによって塵埃などの異物が侵入することを防止することができる。したがって対向レンズからの光が、異物によって散乱して受光素子の不所望の受光位置に導かれることなどの不具合をなくすことができる。したがって光ピックアップ装置の性能を好適に保持することができる。
【００５８】
また本発明によれば、防塵体が弾性材料から成るので、万一、防塵体に外力が与えられた場合であっても、外力を吸収することができるので、防塵体の配置位置が不所望にずれることを防止することができる。これによって対向レンズおよび受光素子間にわたる光路を覆う状態を一定に保持することができる。また防塵体をハウジングなどに設ける場合に、ハウジングにたとえば透孔および一対の突起片などの係止部を設けておけば、接着剤などの他の保持部材を用いることなく、防塵体を係止部に容易に設けてハウジングに保持させることができる。これによって作業性を向上することができるとともに、装置の部品点数が増加することを防止することができる。
【００５９】
また本発明によれば、対向レンズには、防塵体の軸線方向一端部が周方向全周にわたって弾発的に当接し、受光素子には、防塵体の軸線方向他端部が周方向全周にわたって弾発的に当接している。これによって対向レンズおよび受光素子を変位させてそれらの位置を調整した場合であっても、防塵体の対向レンズおよび受光素子との当接状態を一定に保持することができる。したがって対向レンズおよび受光素子間にわたる光路に、異物が侵入することを確実に防止することができる。
【００６０】
また本発明によれば、防塵体が、軸線方向両端部に向かうにつれて拡開するので、軸線方向両端部が軸線方向に変形しないものに比べて、防塵体を軸線方向に変形させやすくすることができる。これによって防塵体に軸線方向の外力を与えた場合であっても、防塵体が軸線方向に容易に変形するので、防塵体が光路に悪影響を与えることを防止することができる。
【００６１】
また本発明によれば、防塵体が蛇腹状に形成されるので、軸線方向両端部が軸線方向に変形しないものに比べて、防塵体を軸線方向に変形させやすくすることができる。これによって防塵体に軸線方向の外力を与えた場合であっても、防塵体が軸線方向に容易に変形するので、防塵体が光路に悪影響を与えることを防止することができる。
【００６２】
また本発明によれば、受光素子が、ハウジングによって、対向レンズの光軸に平行な基準軸線まわりに回転自在に、かつ前記基準軸線に垂直な方向に変位自在に保持される。対向レンズが、ハウジングによって、その光軸に沿って変位自在に保持される。防塵体が、ハウジングによって、その軸線方向両端部が軸線方向に変形自在に軸線方向中間部で保持される。これによって受光素子および対向レンズが、ハウジングに対して前述のように変位した場合であっても、それらの変位に対して防塵体が影響を受け難くすることができる。換言すると受光素子および対向レンズが、ハウジングに対して前述のように変位した場合であっても、防塵体の軸線の配置状態を一定に保持することができる。これによって防塵体の軸線の配置状態が変化して光路に悪影響を与えることを防止することができる。したがって防塵効果を確実に保持することができる。
【００６３】
また本発明によれば、防塵体は、少なくとも受光素子に当接する当接部の表面が曲面に形成される。これによって受光素子に当接する当接部の表面が平面である場合に比べて、防塵体と受光素子との接触面積を小さくすることができる。したがって受光素子の変位の影響を小さくして、受け難くすることができる。たとえば受光素子を、対向レンズの光軸に垂直な一仮想平面に沿って変位させる場合には、受光素子を光軸に沿って変位させる場合に比べて、防塵体が受光素子の変位によって光路に影響を与えやすい。前述のように防塵体の受光素子に当接する当接部の表面を曲面に形成することによって、受光素子の変位によって光路に与える影響を確実に小さくすることができる。また防塵体が、受光素子を傷つけることを防止することができる。
【００６４】
また本発明によれば、防塵体は、少なくとも内周面が黒色であるので、防塵体の内周面で乱反射することを防止することができる。これによって乱反射することによって生じた迷光が、受光素子で受光されることを確実に防止することができる。
【図面の簡単な説明】
【図１】本発明の第１の実施の形態である光ピックアップ装置１０の構成を簡略化して示す斜視図である。
【図２】防塵体３５およびハウジング４０の一部を切欠いて示す分解斜視図である。
【図３】受光手段１５、スポット調整レンズ２４および防塵体３５が設けられる状態におけるハウジング４０の一部を示す斜視図である。
【図４】受光手段１５、スポット調整レンズ２４および防塵体３５が設けられる状態におけるハウジング４０の一部を示す断面図である。
【図５】本発明の第２の実施の形態における光ピックアップ装置１０ａが備えるハウジング４０の一部を示す断面図である。
【図６】本発明の第３の実施の形態における光ピックアップ装置１０ｂが備えるハウジング４０の一部を示す断面図である。
【図７】本発明の第４の実施の形態における光ピックアップ装置１０ｃが備えるハウジング４０の一部を示す断面図である。
【図８】図７のセクションＳを拡大して示す断面図である。
【図９】従来の技術の光ピックアップ装置１を示す斜視図である。
【図１０】受光素子５およびスポット調整レンズ８が設けられるハウジング７の一部を示す斜視図である。
【図１１】ハウジング７の一部を示す断面図である。
【図１２】受光素子５を設ける前のハウジング７の一部を示す斜視図である。
【符号の説明】
１０，１０ａ〜１０ｃ　光ピックアップ装置
１１　光記録媒体
１２　光源
１３　集光レンズ
１４　導光手段
１５　受光手段
１６　情報記録面
２４　スポット調整レンズ
３０　受光素子
３５，３５ａ〜３５ｃ　防塵体
３６　軸線方向両端部
４０　ハウジング
５６，５６ａ，５６ｂ　レンズ当接部
５９，５９ａ〜５９ｃ　素子当接部
【図１】
2004139637.tif 000003
【図２】
2004139637.tif 000004
【図３】
2004139637.tif 000005
【図４】
2004139637.tif 000006
【図５】
2004139637.tif 000007
【図６】
2004139637.tif 000008
【図７】
2004139637.tif 000009
【図８】
2004139637.tif 000010
【図９】
2004139637.tif 000011
【図１０】
2004139637.tif 000012
【図１１】
2004139637.tif 000013
【図１２】
2004139637.tif 000014